【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
スケジューリングエンティティが時分割複信(TDD)キャリアを利用して下位エンティティのセットと通信するための同期ネットワーク内のワイヤレス通信の方法であって、前記TDDキャリアが複数のサブフレームを備え、前記方法が、
前記複数のサブフレームの各々に関するサブフレーム構造を利用するステップであって、前記サブフレーム構造が、制御部分と、データ部分と、応答部分とを含む、ステップと、
スケジューリング情報を前記複数のサブフレームのうちのサブフレームの前記制御部分において送信するステップと、
前記スケジューリング情報に対応するデータ情報を前記サブフレームの前記データ部分において通信するステップであって、前記データ情報が、下位エンティティの前記セットのうちの少なくとも一部に関連し、かつ前記制御部分内でスケジュールされたデータパケットを含む、ステップと、
前記データ情報に対応する応答情報を前記サブフレームの前記応答部分において通信するステップであって、前記データ部分内の前記データパケットが前記応答部分内で応答され、前記制御部分、前記データ部分、および前記応答部分が同じサブフレーム内に含まれる、ステップと
を含む、方法。
【請求項２】
前記サブフレーム構造が構成可能なサブフレーム持続時間を有する、請求項1に記載の方法。
【請求項３】
前記構成可能なサブフレーム持続時間が前記同期ネットワークにわたって固定される、請求項2に記載の方法。
【請求項４】
前記応答情報を通信するステップが、
前記応答情報を前記サブフレーム内の所定の時間に開始するステップ
をさらに含む、請求項1に記載の方法。
【請求項５】
前記データ情報を通信するステップが、
前記サブフレームの前記データ部分内で前記スケジューリングエンティティから下位エンティティの前記セットに前記データ情報を送信するステップ
をさらに含む、請求項1に記載の方法。
【請求項６】
前記スケジューリングエンティティから下位エンティティの前記セットに前記データ情報を送信するステップが、
時分割多重化、周波数分割多重化、または符号分割多重化のうちの少なくとも1つを使用して、前記サブフレームの前記データ部分内で下位エンティティの前記セットに送信されたデータパケットを多重化するステップ
をさらに含む、請求項5に記載の方法。
【請求項７】
前記スケジューリング情報を送信するステップが、
下位エンティティの前記セットに送信された前記データパケットの各々に関する前記スケジューリング情報を前記サブフレームの前記制御部分において送信するステップ
をさらに含む、請求項6に記載の方法。
【請求項８】
前記応答情報を通信するステップが、
下位エンティティの前記セット内の各下位エンティティが前記サブフレームの前記データ部分内で前記下位エンティティに関する前記データ情報を正確に受信したかどうかを示す、下位エンティティの前記セットからの肯定応答/否定応答(ACK/NACK)パケットを受信するステップと、
下位エンティティの前記セットからのアップリンク情報を前記サブフレームの前記応答部分内で受信するステップと
をさらに含み、
前記アップリンク情報が、物理アップリンク制御チャネル、ランダムアクセスチャネル、スケジューリング要求、サウンディング基準信号、チャネル品質インジケータ、チャネル状態フィードバック情報、またはバッファ状態のうちの少なくとも1つを含む、請求項1に記載の方法。
【請求項９】
前記サブフレームの前記データ部分と前記サブフレームの前記応答部分との間にガード期間を含めるステップであって、前記ガード期間が構成可能なガード期間持続時間を有する、ステップ
をさらに含む、請求項1に記載の方法。
【請求項１０】
前記スケジューリングエンティティと下位エンティティの前記セットとの間で前記サブフレームを前記送信するステップが、
前記スケジューリングエンティティから下位エンティティの前記セットに前記スケジューリング情報を送信するステップであって、前記スケジューリング情報が、前記サブフレーム内で前記データ情報を送信するために下位エンティティの前記セットによって使用するために利用可能なリソースに対応する、ステップと
下位エンティティの前記セットの少なくとも一部分から前記データ情報を受信するステップと、
前記スケジューリングエンティティと下位エンティティの前記セットの前記一部分に肯定応答/否定応答(ACK/NACK)パケットを送信するステップであって、前記ACK/NACKパケットが、前記スケジューリングエンティティが下位エンティティの前記セットの前記一部分内で各下位エンティティから前記データ情報を正確に受信したかどうかを示す、ステップと、
データパケットを前記サブフレームの前記制御部分内に搬送するステップであって、前記サブフレームの前記データ部分内の前記データ情報が、前記データパケットに対応する応答パケットを含む、ステップと
をさらに含む、請求項1に記載の方法。
【請求項１１】
前記サブフレームの前記制御部分と前記サブフレームの前記データ部分との間にガード期間を含めるステップと、
前記サブフレームの前記データ部分と前記サブフレームの前記応答部分との間に追加のガード期間を含めるステップと
をさらに含む、請求項10に記載の方法。
【請求項１２】
前記ガード期間および前記追加のガード期間の各々が、それぞれの構成可能なガード期間を有し、前記方法が、
前記データ部分を前記サブフレーム内の第1の所定の時間に開始するステップと、
前記応答部分を前記サブフレーム内の第2の所定の時間に開始するステップと
をさらに含む、請求項11に記載の方法。
【請求項１３】
同期ネットワーク内で下位エンティティのセットとのワイヤレス通信を管理するように構成されたスケジューリングエンティティ装置であって、
時分割複信(TDD)キャリア内で複数のサブフレームの各々に関するサブフレーム構造を利用するための手段であって、前記サブフレーム構造が、制御部分と、データ部分と、応答部分とを含む、手段と、
スケジューリング情報を前記複数のサブフレームのうちのサブフレームの前記制御部分において送信するための手段と、
前記スケジューリング情報に対応するデータ情報を前記サブフレームの前記データ部分において通信するための手段であって、前記データ情報が、下位エンティティの前記セットのうちの少なくとも一部に関連し、かつ前記制御部分内でスケジュールされたデータパケットを含む、手段と、
前記データ情報に対応する応答情報を前記サブフレームの前記応答部分おいて通信するための手段であって、前記データ部分内の前記データパケットが前記応答部分内で応答され、前記制御部分、前記データ部分、および前記応答部分が同じサブフレーム内に含まれる、手段と
を備える、スケジューリングエンティティ装置。
【請求項１４】
コンピュータによって実行されると、請求項1から12のいずれか一項に記載の方法を前記コンピュータに実行させる命令を含む、コンピュータ可読記憶媒体。
【請求項１５】
下位エンティティが時分割複信(TDD)キャリアを利用してスケジューリングエンティティと通信するための同期ネットワーク内のワイヤレス通信の方法であって、前記TDDキャリアが複数のサブフレームを備え、前記方法が、
前記複数のサブフレームの各々に関するサブフレーム構造を利用するステップであって、前記サブフレーム構造が、制御部分と、データ部分と、応答部分とを含む、ステップと、
スケジューリング情報を前記複数のサブフレームのうちのサブフレームの前記制御部分において受信するステップと、
前記スケジューリング情報に対応するデータ情報を前記サブフレームの前記データ部分において通信するステップと、
前記データ情報に対応する応答情報を前記サブフレームの前記応答部分において通信するステップであって、前記制御部分、前記データ部分、および前記応答部分が同じサブフレーム内に含まれる、ステップと
を含む、方法。
【請求項１６】
前記データ情報を通信するステップが、前記スケジューリング情報に対応する前記スケジューリングエンティティからのデータ情報を前記サブフレームの前記データ部分において受信するステップをさらに含み、前記応答情報を通信するステップが、前記データ情報に対応する前記スケジューリングエンティティへの応答情報を前記サブフレームの前記応答部分において送信するステップをさらに含む、請求項15に記載の方法。
【請求項１７】
前記データ情報を通信するステップが、前記スケジューリング情報に対応する前記スケジューリングエンティティへのデータ情報を前記サブフレームの前記データ部分において送信するステップをさらに含み、前記応答情報を通信するステップが、前記データ情報に対応する前記スケジューリングエンティティからの応答情報を前記サブフレームの前記応答部分において受信するステップをさらに含む、請求項15に記載の方法。
【請求項１８】
請求項15から17のいずれか一項に記載の方法を実行するための手段を備える、下位エンティティ装置。
【請求項１９】
コンピュータによって実行されると、請求項15から17のいずれか一項に記載の方法を前記コンピュータに実行させる命令を含む、コンピュータ可読記憶媒体。